【手続補正書】
【提出日】平成25年3月11日(2013.3.11)
【手続補正１】
【補正対象書類名】特許請求の範囲
【補正対象項目名】全文
【補正方法】変更
【補正の内容】
【特許請求の範囲】
【請求項１】
回転可能な像担持体と、
帯電位置において前記像担持体を帯電する帯電手段と、
前記像担持体を露光して前記像担持体に静電潜像を形成する露光手段と、
現像剤像を形成するために、前記像担持体に形成された静電潜像のうち前記露光手段によって露光された前記像担持体の部分に対して現像剤を転移させて現像を行う現像手段と、
転写位置において、前記現像手段により現像された前記像担持体の上の現像剤像を、記録材搬送体に担持される記録材又は中間転写体に転写させる転写部材と、
前記像担持体の回転方向に対し前記転写位置よりも下流側、かつ、前記帯電位置よりも上流側で前記像担持体に接触するように配置され、電圧を印加されて現像剤を保持する保持部材と、
前記記録材搬送体、又は前記中間転写体に付着している現像剤を回収する回収部材と、
前記転写部材及び前記保持部材に印加される電圧をそれぞれ制御する制御手段と、
を備える画像形成装置において、
前記制御手段は、前記転写部材及び前記保持部材に印加される電圧をそれぞれ制御して、前記保持部材に保持された現像剤を前記像担持体を介して、前記記録材搬送体又は前記中間転写体に転移させ、前記回収部材により回収を行うクリーニング動作を実行し、
前記クリーニング動作の時に、
前記制御手段が、前記像担持体の表面部分に対して前記保持部材に保持された現像剤を転移するために、前記像担持体と電位勾配を形成するように前記保持部材に印加される電圧を制御し、
前記露光手段が、前記保持部材から転移された現像剤を受け取る前記像担持体の表面部分を露光することにより、前記現像手段と、予め前記保持部材から転移された現像剤を受けとった前記像担持体の表面部分と、の間に電位勾配を形成することを特徴とする画像形成装置。
【請求項２】
回転可能な像担持体と、
帯電位置において前記像担持体を帯電する帯電手段と、
現像剤像を形成するために、前記像担持体に形成された静電潜像を現像剤により現像する現像手段と、
転写位置において、前記現像手段により現像された前記像担持体の上の現像剤像を、記録材搬送体に担持される記録材又は中間転写体に転写させる転写部材と、
前記像担持体の回転方向に対し前記転写位置よりも下流側、かつ、前記帯電位置よりも上流側で前記像担持体に接触するように配置され、電圧を印加されて現像剤を保持する保持部材と、
前記記録材搬送体、又は前記中間転写体に付着している現像剤を回収する回収部材と、
前記転写部材、前記保持部材、前記現像手段及び前記帯電手段に印加される電圧をそれぞれ制御する制御手段と、
を備える画像形成装置において、
前記制御手段は、前記転写部材及び前記保持部材に印加される電圧をそれぞれ制御して、前記保持部材に保持された現像剤を前記像担持体を介して、前記記録材搬送体又は前記中間転写体に転移させ、前記回収部材により回収を行うクリーニング動作を実行し、
前記制御手段は、前記現像手段と前記帯電手段に印加される電圧の少なくとも一つを制御して、前記クリーニング動作の時に、
予め前記保持部材から転移された現像剤を受け取った前記像担持体の表面部分に対して、前記現像手段から現像剤を転移するように前記現像手段と前記像担持体との間に電位勾配が形成されることを特徴とする画像形成装置。
【請求項３】
回転可能な像担持体と、
帯電位置において前記像担持体に接触して前記像担持体を帯電する帯電手段と、
前記像担持体を露光して前記像担持体に静電潜像を形成する露光手段と、
現像剤像を形成するために、前記像担持体に形成された静電潜像のうち前記露光手段によって露光された前記像担持体の部分に対して現像剤を転移させて現像を行う現像手段と、
転写位置において、前記現像手段により現像された前記像担持体の上の現像剤像を、記録材搬送体に担持される記録材又は中間転写体に転写させる転写部材と、
前記記録材搬送体、又は前記中間転写体に付着している現像剤を回収する回収部材と、
前記転写部材及び前記帯電手段に印加される電圧をそれぞれ制御する制御手段と、
を備える画像形成装置において、
前記制御手段は、前記転写部材及び前記帯電手段に印加される電圧をそれぞれ制御して、前記帯電手段に付着した現像剤を前記像担持体を介して、前記記録材搬送体又は前記中間転写体に転移させ、前記回収部材により回収を行うクリーニング動作を実行し、
前記クリーニング動作の時に、
前記制御手段が、前記像担持体の表面部分に対して前記帯電手段から現像剤を転移するために、前記帯電手段と前記像担持体との間に電位勾配を形成するように前記帯電手段に印加される電圧を制御し、
前記露光手段が、前記帯電手段から転移された現像剤を受け取る前記像担持体の表面部分を露光することにより、前記現像手段と、予め前記帯電手段から転移された現像剤を受け取った前記像担持体の表面部分と、との間に電位勾配を形成することを特徴とする画像形成装置。
【請求項４】
回転可能な像担持体と、
帯電位置において前記像担持体に接触して前記像担持体を帯電する帯電手段と、
現像剤像を形成するために、前記像担持体に形成された静電潜像を現像剤により現像する現像手段と、
転写位置において、前記現像手段により現像された前記像担持体の上の現像剤像を、記録材搬送体に担持される記録材又は中間転写体に転写させる転写部材と、
前記記録材搬送体、又は前記中間転写体に付着している現像剤を回収する回収部材と、
前記転写部材、前記帯電手段及び前記現像手段に印加される電圧をそれぞれ制御する制御手段と、
を備える画像形成装置において、
前記制御手段は、前記転写部材及び前記帯電手段に印加される電圧をそれぞれ制御して、前記帯電手段に付着した現像剤を前記像担持体を介して、前記記録材搬送体又は前記中間転写体に転移させ、前記回収部材により回収を行うクリーニング動作を実行し、
前記クリーニング動作の時に、
予め前記帯電手段から転移された現像剤を受け取った前記像担持体の表面部分に対して、前記現像手段から現像剤を転移するように前記現像手段と前記像担持体との間に電位勾配が形成されることを特徴とする画像形成装置。
【請求項５】
回転可能な像担持体と、
帯電位置において像担持体を帯電する帯電手段と、
前記像担持体を露光して前記像担持体上に静電潜像を形成する露光手段と、
現像剤像を形成するために、前記像担持体に形成された静電潜像のうち前記露光手段によって露光されていない前記像担持体の部分に対して現像剤を転移させて現像する正規現像方式の現像手段と、
転写位置において、前記現像手段により現像された前記像担持体の上の現像剤像を、記録材搬送体に担持される記録材又は中間転写体に転写させる転写部材と、
前記像担持体の回転方向に対し前記転写位置よりも下流側、かつ、前記帯電位置よりも上流側で前記像担持体に接触するように配置され、電圧を印加されて現像剤を保持する保持部材と、
前記記録材搬送体、又は前記中間転写体に付着している現像剤を回収する回収部材と、
前記転写部材、前記保持部材及び前記現像手段に印加される電圧をそれぞれ制御する制御手段と、
を備える画像形成装置において、
前記制御手段は、前記転写部材及び前記保持部材に印加される電圧をそれぞれ制御して、前記保持部材に保持された現像剤を前記像担持体を介して、前記記録材搬送体又は前記中間転写体に転移させ、前記回収部材により回収を行うクリーニング動作を実行し、
前記クリーニング動作の時に、
前記制御手段が、前記像担持体の表面部分に対して前記保持部材に保持された現像剤を転移するために、前記像担持体と電位勾配を形成するように前記保持部材に印加される電圧を制御し、
前記露光手段が、前記保持部材から転移された現像剤を受け取っていない前記像担持体の表面部分を露光することにより、前記現像手段と、予め前記保持部材から転移された現像剤を受けとった前記像担持体の表面部分と、の間に電位勾配を形成することを特徴とする画像形成装置。
【請求項６】
回転可能な像担持体と、
帯電位置において前記像担持体に接触して像担持体を帯電する帯電手段と、
前記像担持体を露光して前記像担持体に静電潜像を形成する露光手段と、
現像剤像を形成するために、前記像担持体に形成された静電潜像のうち前記露光手段によって露光されていない前記像担持体の部分に対して現像剤を転移させて現像する正規現像方式の現像手段と、
転写位置において、前記現像手段により現像された前記像担持体の上の現像剤像を、記録材搬送体に担持される記録材又は中間転写体に転写させる転写部材と、
前記記録材搬送体、又は前記中間転写体に付着している現像剤を回収する回収部材と、
前記転写部材、前記帯電手段及び前記現像手段に印加される電圧をそれぞれ制御する制御手段と、
を備える画像形成装置において、
前記制御手段は、前記転写部材及び前記帯電手段に印加される電圧をそれぞれ制御して、前記帯電手段に付着した現像剤を前記像担持体を介して、前記記録材搬送体又は前記中
間転写体に転移させ、前記回収部材により回収を行うクリーニング動作を実行し、
前記クリーニング動作の時に、
前記制御手段が、前記像担持体の表面部分に対して前記帯電手段から現像剤を転移するために、前記帯電手段と前記像担持体との間に電位勾配を形成するように前記帯電手段に印加される電圧を制御し、
前記露光手段が、前記帯電手段から転移された現像剤を受け取っていない前記像担持体の表面部分を露光することにより、前記現像手段と、予め前記帯電手段から転移された現像剤を受け取った前記像担持体の表面部分と、の間に電位勾配を形成することを特徴とする画像形成装置。
【請求項７】
前記保持部材は回転体であり、前記保持部材は前記像担持体の表面に当接しながら回転するように設けられ、
前記制御手段は、前記クリーニング動作時に、前記保持部材の外周面全体が前記像担持体に接触するのに要する時間の間、前記保持部材の現像剤を前記像担持体に転移させるための電位勾配を形成させることを特徴とする請求項１、２、５のいずれか１項に記載の画像形成装置。
【請求項８】
前記帯電手段は回転体であり、前記帯電手段は前記像担持体の表面に当接しながら回転するように設けられ、
前記制御手段は、前記クリーニング動作時に、前記帯電手段の外周面全体が前記像担持体に接触するのに要する時間の間、前記帯電手段の現像剤を前記像担持体に転移させるための電位勾配を形成させることを特徴とする請求項３、４、６のいずれか１項に記載の画像形成装置。
【手続補正２】
【補正対象書類名】明細書
【補正対象項目名】０００９
【補正方法】変更
【補正の内容】
【０００９】
上記目的を達成するために本発明にあっては、回転可能な像担持体と、
帯電位置において前記像担持体を帯電する帯電手段と、
現像剤像を形成するために、前記像担持体に形成された静電潜像を現像剤により現像する現像手段と、
転写位置において、前記現像手段により現像された前記像担持体の上の現像剤像を、記録材搬送体に担持される記録材又は中間転写体に転写させる転写部材と、
前記像担持体の回転方向に対し前記転写位置よりも下流側、かつ、前記帯電位置よりも上流側で前記像担持体に接触するように配置され、電圧を印加されて現像剤を保持する保持部材と、
前記記録材搬送体、又は前記中間転写体に付着している現像剤を回収する回収部材と、
前記転写部材、前記保持部材、前記現像手段及び前記帯電手段に印加される電圧をそれぞれ制御する制御手段と、
を備える画像形成装置において、
前記制御手段は、前記転写部材及び前記保持部材に印加される電圧をそれぞれ制御して、前記保持部材に保持された現像剤を前記像担持体を介して、前記記録材搬送体又は前記中間転写体に転移させ、前記回収部材により回収を行うクリーニング動作を実行し、
前記制御手段は、前記現像手段と前記帯電手段に印加される電圧の少なくとも一つを制御して、前記クリーニング動作の時に、
予め前記保持部材から転移された現像剤を受け取った前記像担持体の表面部分に対して、前記現像手段から現像剤を転移するように前記現像手段と前記像担持体との間に電位勾配が形成されることを特徴とする。